(57)【要約】      （修正有）【課題】特別な設置場所を必要とせず、且つ一般家庭生活で必要な踏み台としても使用できるトレーニング用の健康踏み台を提供する。【解決手段】底面に滑り止め具を有し、対向する両面に孔を設けるとともに上面を開口部とした箱体を呈する本体Ａと、上面に滑り止め手段を備え、底面には滑り止め具を有する傾斜角度の異なる少なくとも２体の蓋体Ｂとから構成し、前記蓋体Ｂの上面に備えられる滑り止め手段を、軟質を含むポリ塩化ビニール（ＰＶＣ）シートとしたことを特徴とする健康踏み台。【選択図】図２
0003119035.tif 000002
【実用新案登録請求の範囲】
【請求項１】
底面に滑り止め具を有し、対向する両面に孔を設けるとともに上面を開口部とした箱体を呈する本体Ａと、
上面に滑り止め手段を備え、底面には滑り止め具を有する傾斜角度の異なる少なくとも２体の蓋体Ｂとから構成されたことを特徴とする健康踏み台。
【請求項２】
傾斜角度の異なる少なくとも２体の蓋体Ｂの上面に備えられる滑り止め手段を、軟質を含むポリ塩化ビニール（ＰＶＣ）シートとした請求項１記載の健康踏み台。
【考案の詳細な説明】
【技術分野】
【０００１】  本考案は、家庭で簡単に行なえる健康機器に係り、単なる健康器具としてだけではなく、家庭生活において踏み台としても使用できる健康踏み台に関するものである。
【背景技術】
【０００２】  最近の健康志向は、女性を中心として中高年に浸透していることは良く知られている。
ところで、心肺機能の低下予防と、家庭内での転倒防止と予防は寝たきり防止の観点から特に重要で、「衰えは足から」と言われ、大腿四頭筋ほか関連筋肉のトレーニングの必要性が唱えられてきている。
そこで、家庭でも簡単に使用できる上記トレーニングに適した器具を提供しようとするものである。
【考案の開示】
【考案が解決しようとする課題】
【０００３】  心肺機能の低下予防と、家庭内の転倒防止と予防は寝たきり防止の観点から、大腿四頭筋や大殿筋、ヒラメ筋などの筋力トレーニングが必要で、これらの筋力トレーニングが優れた効果があることは良く知られている。
しかしながら、この種のトレーニングを家庭で行おうとすれば、通常の場合、特別な機器を必要とし、そのために、その機器を設置しておく場所も必要とする。
そこで、本考案は特別な設置場所を必要とせず、且つ一般家庭生活で必要な踏み台としても使用できるトレーニング用の健康踏み台を提供しようとするものである。
【課題を解決するための手段】
【０００４】  底面に滑り止め具を有し、上面を開口部とした箱体を呈する本体Ａと、
上面に滑り止め手段を備え、底面には滑り止め具を有する傾斜角度の異なる少なくとも２体の蓋体Ｂとから構成され、
傾斜角度の異なる少なくとも２体の蓋体Ｂの上面に備えられる滑り止め手段を、軟質を含むポリ塩化ビニール（ＰＶＣ）シートとしたことを特徴とする健康踏み台。
【考案の効果】
【０００５】  本考案は、以上のような構成手段で課題を解決するものであるから次のような効果を奏する。
（１）本体となる上面を開口部とした箱体には、底面の四隅角部に滑り止め手段を備えているので、トレーニング中或いは踏み台として使用している時もずれたり、滑ったりする事が無いので安心して使用することが出来る。
（２）蓋体は異なる傾斜角度を有する少なくとも２体で構成されているので、１体を蓋として、別体をステップ台として使用できる。
したがって、心肺機能の向上と脚関連筋肉トレーニングが家庭で気楽にできる。
（３）異なる傾斜角度を有する少なくとも２体で蓋体が構成されているので、例えば傾斜の強い方を蓋として使用し、傾斜の弱い方をステップ台に用いるなど、傾斜の強弱を蓋として使用するか或いはステップとして使用するか選択でき、各自のトレーニングの目的や筋力の強度に合わせて使い分けができる。
（４）蓋体の底面には滑り止め具を備えているので、何れをステップ台に使用しても床面を滑ることは防止できる。
（５）本体となる箱体の対向する両面には、孔を設けてあるので踏み台として使用する時の持ち運びが簡単に行える。
（６）本体は上面が開口された箱型を呈しているので、例えば、トレーニング計画表などの関係小物を収めておけるので利便性が高い。
【考案を実施するための最良の形態】
【０００６】  本考案のような健康踏み台は、家庭で簡便に使用できるものであることが肝要であるところから、仕上げは丁寧であることは勿論、耐荷重が計算されたものである事が必要であって、軽量で且つ反復使用に十分耐えられる強度を有し、耐久性に富む事が求められる。【０００７】  したがって本考案の実施は、箱体の本体Ａと、異なる傾斜角度を有する２体の蓋体Ｂとの２要素部材から構成され、
箱体の本体Ａは底面に滑り止め具を有し、対向する両面に孔を設けるとともに上面を開口部としたもので、
蓋体Ｂは、上面に滑り止め手段を備え、底面には滑り止め具を有する傾斜角度の異なる少なくとも２体から構成されていて、本考案の健康踏み台は木製とし、蓋体Ｂの上面に備えられる滑り止め手段は、耐摩耗性に富み且つ使用時において、十分に滑り止め効果を発揮する軟質を含むポリ塩化ビニール（ＰＶＣ）シートとしている。【０００８】  また、各要素部材の少なくとも底面四隅角部に設けられる滑り止め具もまた十分に滑り止め効果を発揮するとともに、家庭の床面に傷を付けることが少ない材料で作られる事が求められる。
【実施例】
【０００９】  本考案の実施例を図面に基づき説明する。
図１は、本考案を構成している２要素の全体を説明するもので、箱体を呈する本体Ａは、底面に滑り止め具３を有し、対向する両面に孔２を設けるとともに上面を開口１としたものである。【００１０】  ２要素の一つ蓋体Ｂは、上面に滑り止め手段６，９を備え、底面には滑り止め具４，７を有する傾斜角度の異なる少なくとも２体５，８から構成される。
前記箱体を呈する本体Ａ並びに異なる傾斜角度を有する２体の蓋体Ｂは木製とし、蓋体Ｂの上面に備えられる滑り止め手段は耐摩耗性に富み且つ使用時において、十分に滑り止め効果を発揮する軟質を含むポリ塩化ビニール（ＰＶＣ）シートとしている。【００１１】  図２は、本考案の健康踏み台をトレーニング機器として使用する場合を説明するもので、異なる傾斜角度を有する２体の蓋体の内、１体を蓋として本体Ａに使い、別体をステップ台として使用している。このとき、傾斜角度の強い方をステップ台に用い、傾斜角度の弱い方を蓋体として使用すれば、トレーニングはハードであり、逆に配置すれば前者に比して弱いトレーニングとなる。【００１２】  更に本図では、ステップ台を本体Ａに密着させた使用例を示しているが、本体Ａから離して使用すれば、よりハイレベルなトレーニング効果が得られる。【００１３】  つまり本考案の健康踏み台は、２体の蓋体の内、ステップ台として傾斜角度の強い方を使うか弱い方を使うかによってトレーニング効果を選択できるばかりでなく、ステップ台を本体から離す距離によっても、その効果が異なるところから、使用者が自分のトレーニング目的合わせ選択できる簡便な機器である。
【産業上の利用可能性】
【００１４】  家庭における健康機器は飽きずに継続して使用されることが重要であって、それには簡便性を有している事が最も重要であると言われており、本考案の健康踏み台は、以上説明のような構成を有するものであるから、必要に応じ、階段昇降トレーニングを行うのに十分な条件を満たしており、その使用は簡単であることから、本考案による階段昇降トレーニングで前記筋力アップに大いなる期待が寄せられる。
更に、本考案は製造上の技術的な問題点も無いので、産業上の利用可能性は大いに期待できる。
【図面の簡単な説明】
【００１５】
【図１】本考案２要素の、本体Ａと傾斜角度の異なる２体の蓋体Ｂを説明する図である。
【図２】本考案の健康踏み台を使用している例を説明する図である。
【符号の説明】
【００１６】  Ａ本体        Ｂ蓋体
１開口部        ２孔        ３，４，７滑り止め具        ５，８蓋体
６，９滑り止め手段
【図１】
0003119035.tif 000003
【図２】
0003119035.tif 000004